(57)【特許請求の範囲】
【請求項１】
コイルへの通電のオンオフに応じて前後回動するアーマチュアと、該アーマチュアの前後回動に追随して前後動する絶縁カードと、該絶縁カードの前後動に連動して断接する可動接点及び固定接点と、該可動接点及び固定接点が夫々取り付けられた可動接片及び固定接片とを備えて絶縁ベースに形成されたクッキングヒーター用電磁継電器であって、
前記可動接片は横長に形成されていると共に、該可動接片の左右両端部に第１可動接点及び第２可動接点が互いに分離して形成され、
該第１可動接点及び第２可動接点と夫々断接するように第１固定接点及び第２固定接点が配置され、且つ、第１固定接点及び第２固定接点は第１固定接片及び第２固定接片の上端部に夫々設けられ、
前記第１固定接点及び第２固定接点に第１可動接点及び第２可動接点が夫々断接してクッキングヒーターの接点回路を開閉させるようにし、且つ、前記第１固定接点及び第２固定接点と、之に対峙する第１可動接点及び第２可動接点との間の絶縁距離を大に形成したＩＨクッキングヒーター用電磁継電器において、
前記可動接片は前記絶縁カードの前端部が連結された板バネ部に取り付けられ、該板バネ部は、前記絶縁ベースの立上げ部に上端部が固定された板状のコンタクトスプリングの左右幅方向の中央部を逆凵字状に切り抜いて形成され、該コンタクトスプリングと前記第１固定接片及び第２固定接片との間の絶縁距離（Ｌ１）を大きくすることができるように構成したことを特徴とするＩＨクッキングヒーター用電磁継電器。
【請求項２】
前記可動接片は前記板バネ部の上端部に水平方向に取り付けられ、該可動接片と第１固定接点端子及び第２固定接点端子との間の絶縁距離（Ｌ３）を大きくすることができるように構成したことを特徴とする請求項１記載のＩＨクッキングヒーター用電磁継電器。
【発明の詳細な説明】
【技術分野】
【０００１】
本発明はＩＨクッキングヒーター用電磁継電器に関するものであり、特に、高周波電流による電磁誘導作用によって調理鍋を発熱させるＩＨクッキングヒーター用電磁継電器に関するものである。
【背景技術】
【０００２】
近年、加熱調理器においては、導体から成る調理鍋を発熱させるＩＨ（電磁誘導）クッキングヒーターが普及しており、この調理鍋の材料としては一般にアルミニウム、鉄、銅又はステンレスが使用されている。該ＩＨクッキングヒーターは、交流磁場による電磁誘導作用によって、調理鍋に渦電流を発生させて、該調理鍋を発熱させるものでり、このＩＨクッキングヒーターの制御回路には小型の電磁継電器が組み込まれている。
【０００３】
従来の此種ＩＨクッキングヒーター用電磁継電器の構成例を図５乃至図７に示す。該電磁継電器は、モールド成形にて形成された絶縁ベース１と、該絶縁ベース１の上面側を施蓋するケースカバー２とを有し、前記絶縁ベース１の後側部及び前側部（図５における左側部及び右側部）には電磁駆動ブロック部Ｅ１及び接点開閉ブロック部Ｅ２が夫々形成されている。
【０００４】
電磁駆動ブロック部Ｅ１は、鉄心３を中心部に配設してボビン（図示せず）に巻回されたコイル４と、該コイル４の前方（図５における右方）に立設されたヨーク５と、該ヨーク５の上端部５aに後端側水平部６ａが係止され、且つ、該係止部６ｂを回動支点として回動動作する縦断面Ｌ字状のアーマチュア６と、該アーマチュア６の鉛直部６c前面に後端部７aが当接し、且つ、該アーマチュア６の回動動作に連動して前後動する絶縁カード７とを備えている。
【０００５】
又、接点開閉ブロック部Ｅ２は、図６に示すように、絶縁ベース１に立設された逆Ｌ字状の可動接点端子９と、該可動接点端子９の上端側水平部９ａに上端部がカシメ等の固定手段１６,１６にて固定され、且つ、前記絶縁カード７の前後動に連動して回動する導電性のコンタクトスプリング（板バネ）１０と、該コンタクトスプリング１０の左右方向中央部にスリット８を介して形成された逆凵字状（Ｕ字形を含む。以下同様。）の可動接片（可動バネ）１１と、該可動接片１１の前方に並設された固定接片１２と、該固定接片１２及び可動接片１１の上端部に夫々互いに対峙するように配設された固定接点１３及び可動接点１４と、前記固定接片１２の下方部が一体に連設された固定接点端子１５とを備えている。
【０００６】
そして、前記可動接片１１の下部には絶縁カード７の前端側水平部７bの先端が連結されている。従って、アーマチュア６の前後方向への回動により、絶縁カード７が前後方向に移動して前記可動接片１１が前後方向に回動する。
【０００７】
上記電磁継電器によれば、前記コイル４への通電をオン又はオフすることにより、前記鉄心３が前記アーマチュア６の後端側水平部６ａを吸引又は反発（復帰バネの復元力による）させて、該アーマチュア６を前後方向に回動させる。そして、該アーマチュア６の鉛直部６ｃで前記絶縁カード７を前後方向へ移動させる。
【０００８】
更に、該絶縁カード７の前後方向への移動によって、前記可動接片１１が前後方向に回動し、これに伴い、前記可動接片１１の可動接点１４が前記固定接片１２の固定接点１３に接触又は離反する。斯くして、ＩＨクッキングヒーターの接点回路が開閉制御される（例えば、特許文献１,２参照）。
【特許文献１】実開平２−７９５４３号公報
【特許文献２】実開平２−７９５４４号公報
【発明の開示】
【発明が解決しようとする課題】
【０００９】
上記従来構造の電磁継電器においては、ＩＨクッキングヒーターで調理鍋を加熱する場合、該調理鍋の加熱効率を高めるためには、調理鍋に大きな渦電流を流し、且つ、ＩＨクッキングヒーターの加熱面に対する調理鍋の接触面積を広く形成する必要がある。
【００１０】
又、調理鍋を所定温度まで素早く加熱するには、上記接点回路に高電圧、例えば６０００ボルトを印加しなければならない。この場合、可動接点と固定接点の間に高電圧が印加されるので、これに対応すべく接点箇所に高い耐電圧を確保する必要がある。従来の電磁継電器において高い耐電圧を確保するには、例えば、コンタクトスプリングと固定接点端子の間の絶縁距離（図６中の符号Ｌ１）、並びに、可動接点と固定接点の間の絶縁距離（図５中の符号Ｌ２）を長くすればよいが、このように構成することは従来構造の電磁継電器では不可能である。以下、その理由について説明する。
【００１１】
先ず、コンタクトスプリングと固定接点端子の間の絶縁距離Ｌ１に関しては、絶縁ベースに対する固定接点端子の取り付け位置が仕様規格により決まっており、また、コンタクトスプリングの両サイド部の幅寸法は、所定の通電容量を確保する観点から狭く形成することができない。依って、従来構造の電磁継電器では絶縁距離Ｌ１を長くすることは困難である。
【００１２】
次に、可動接点と固定接点の間の絶縁距離（接点ギャップ）Ｌ２に関しては、該絶縁距離Ｌ２を長くした場合、それに応じてコイルの鉄心とアーマチュアとの間のギャップが大きくなる。そのため、アーマチュアに対する吸引力を増大させるべく、コイルへの動作電圧をアップさせる必要がある。更に、可動接片の開閉時における回動距離が増大するので、それに応じて大きな反復応力が可動接片に作用して、該可動接片が折損し易くなる。依って、従来構造の電磁継電器では絶縁距離Ｌ２を長くすることは困難である。
【００１３】
このように、従来の電磁継電器では前記絶縁距離Ｌ１及びＬ２を長く設定できないので、高い耐電圧を確保することができない。又、可動接点と固定接点の間に高電圧を印加した場合は、可動接点と固定接点の間にアーク放電が発生して、該接点箇所を損傷又は破損させて、ＩＨクッキングヒーターの機能低下又は機能停止を招く虞がある。
【００１４】
そこで、接点箇所にアーク放電を発生させずに高い耐電圧を確保でき、調理鍋を所定温度まで素早く発熱させるために解決せられるべき技術的課題が生じてくるのであり、本発明は該課題を解決することを目的とする。
【課題を解決するための手段】
【００１５】
本発明は上記、目的を達成するために提案されたものであり、請求項１記載の発明は、コイルへの通電のオンオフに応じて前後回動するアーマチュアと、該アーマチュアの前後回動に追随して前後動する絶縁カードと、該絶縁カードの前後動に連動して断接する可動接点及び固定接点と、該可動接点及び固定接点が夫々取り付けられた可動接片及び固定接片とを備えて絶縁ベースに形成されたクッキングヒーター用電磁継電器であって、
前記可動接片は横長に形成されていると共に、該可動接片の左右両端部に第１可動接点及び第２可動接点が互いに分離して形成され、
該第１可動接点及び第２可動接点と夫々断接するように第１固定接点及び第２固定接点が配置され、且つ、第１固定接点及び第２固定接点は第１固定接片及び第２固定接片の上端部に夫々設けられ、
前記第１固定接点及び第２固定接点に第１可動接点及び第２可動接点が夫々断接してクッキングヒーターの接点回路を開閉させるようにし、且つ、前記第１固定接点及び第２固定接点と、之に対峙する第１可動接点及び第２可動接点との間の絶縁距離を大に形成したＩＨクッキングヒーター用電磁継電器において、
前記可動接片は前記絶縁カードの前端部が連結された板バネ部に取り付けられ、該板バネ部は、前記絶縁ベースの立上げ部に上端部が固定された板状のコンタクトスプリングの左右幅方向の中央部を逆凵字状に切り抜いて形成され、該コンタクトスプリングと前記第１固定接片及び第２固定接片との間の絶縁距離（Ｌ１）を大きくすることができるように構成したＩＨクッキングヒーター用電磁継電器を提供する。
【００１６】
この構成によれば、コイルへの通電により、アーマチュアが前方に回動すると、絶縁カードが前方へ移動する。そして、絶縁カードの前方への移動に連動して、可動接片が第１固定接片及び第２固定接片に接近すべく回動し、第１固定接点及び第２固定接点に第１可動接点及び第２可動接点が夫々接触して接点回路を閉成させる。従って、本発明はダブル接点構造を採用しているので、２つの接点箇所の耐電圧は従来のシングル接点構造に比べて２倍（絶縁距離Ｌ２×２）にアップする。
【００１８】
この構成によれば、絶縁カードの前端部が連結された板バネ部は、コンタクトスプリングの左右幅方向中央部を逆凵字状に切り抜いて形成されていると共に、該板バネ部に可動接片が取り付けられている。従って、絶縁カードの前方への移動により、可動接片に設けた第１可動接点及び第２可動接点が第１固定接片及び第２固定接片に夫々接触して接点回路を閉成させる。この場合、前記コンタクトスプリングには電流は流れない。依って、コンタクトスプリングの板バネ部を挟む両サイド部の幅寸法は、従来のように所定の通電容量を確保すべく広く形成する必要がない。
【００１９】
請求項２記載の発明は、前記可動接片は前記板バネ部の上端部に水平方向に取り付けられ、該可動接片と第１固定接点端子及び第２固定接点端子との間の絶縁距離（Ｌ３）を大きくすることができるように構成して成る請求項１記載のＩＨクッキングヒーター用電磁継電器を提供する。
【００２０】
この構成によれば、可動接片は板バネ部の上端部に水平方向に取り付けられているので、可動接片の水平部分と第１固定接点端子及び第２固定接点端子との間の絶縁距離（図２中の符号Ｌ３参照）が長くなる。
【発明の効果】
【００２１】
請求項１記載の発明は、ダブル接点構造を採用したことにより、２つの接点箇所の耐電圧が従来に較べて２倍にアップするので、従来例に比し高い電圧（例えば６０００ボルト以上）を印加することができ、従って、調理鍋（フライパン等の調理用加熱板）を所定温度まで短時間で加熱することができる。その際、接点箇所にアーク放電が発生しないので、該接点箇所を損傷又は破損させるおそれがなく、ＩＨクッキングヒーターの機能低下又は機能停止を未然に防止することができる。
【００２２】
又、各接点箇所における接点ギャップ（図１中の符号Ｌ２参照）を大きくする必要がないので、該接点箇所における耐久性、信頼性、接触安定性ないし開閉応答性も向上し、特に、コイルへの動作電圧をアップさせる必要がなく、しかも、大きな反復応力が可動接片に作用しないため、該可動接片が折損するおそれもない。
【００２３】
そしてこの発明は、コンタクトスプリングの両サイド部の幅寸法を狭く形成できるので、前記の効果に加えて、該コンタクトスプリングと第１固定接片又は第２固定接片との間の絶縁距離（図３中の符号Ｌ１参照）を長くでき、その分だけコンタクトスプリングと前記各固定接片間の耐電圧を増大させることができる。
【００２４】
請求項２記載の発明は、可動接片の水平部分と第１固定接点端子及び第２固定接点端子との間の絶縁距離（Ｌ３）が長くなるので、前記発明の効果に加えて、その分だけ可動接片と前記各固定接点端子間の耐電圧を増大させることができる。
【発明を実施するための最良の形態】
【００２５】
本発明は、接点箇所にアーク放電を発生させずに高い耐電圧を確保して、クッキングヒーターの調理鍋を所定温度まで素早く発熱させるという目的を達成するために、コイルへの通電のオンオフに応じて前後回動するアーマチュアと、該アーマチュアの前後回動に追随して前後動する絶縁カードと、該絶縁カードの前後動に連動して断接する可動接点及び固定接点と、該可動接点及び固定接点が夫々取り付けられた可動接片及び固定接片とを備えたクッキングヒーター用電磁継電器において、前記可動接片は横長に形成されていると共に、該可動接片の左右両端部に第１可動接点及び第２可動接点が互いに分離して形成され、第１可動接点及び第２可動接点と夫々断接するように第１固定接点及び第２固定接点が配置され、且つ、第１固定接点及び第２固定接点は第１固定接片及び第２固定接片の上端部に夫々設けられ、前記第１固定接点及び第２固定接点に第１可動接点及び第２可動接点が夫々断接してクッキングヒーターの接点回路を開閉させることによって実現した。
【実施例】
【００２６】
以下、本発明の好適な一実施例を図１乃至図４に従って説明する。本実施例は、高周波の高電圧が印加されるクッキングヒーターの制御回路（接点回路）に組み込まれた１回路２接点ギャップタイプの電磁継電器に適用したものであって、可動接片に設けた第１可動接点及び第２可動接点を第１固定接点及び第２固定接点に夫々断接させるように構成し、前記可動接片は板状のコンタクトスプリングに形成した逆凵字状の板バネ部に取り付けられているが、該コンタクトスプリングは弾性を有する材質のものであればよいのであり、必ずしも金属材に限定されない。
【００２７】
図１は本発明の電磁継電器の平面図、図２は図１の正面断面図、図３は図１の右側面図、図４は本発明に係る可動接片の取り付け部分を示す側面図である。尚、図５乃至図７で示した電磁継電器の構成要素と同一のものは同一符号を付して説明する。
【００２８】
図において、１７は１回路２接点ギャップタイプのクッキングヒーター用の電磁継電器であって、該電磁継電器１７は、モールド成形にて形成された絶縁ベース１と、該絶縁ベース１の上面側を施蓋するケースカバー２とを有する。該絶縁ベース１の後側部及び前側部（図２における左方部及び右方部）には、電磁駆動ブロック部Ｅ１及び接点開閉ブロック部Ｅ２が夫々形成されている。
【００２９】
絶縁ベース１の後側部に形成された電磁駆動ブロック部Ｅ１は、絶縁ベース１の後側部に配設された鉄心３と、該鉄心３を中心部に配設してボビン（図示せず）に巻回されたコイル４と、該コイル４の前方に立設されたヨーク５と、該ヨーク５の上端部５a近傍に水平部６aが係止された縦断面Ｌ字状のアーマチュア６とを備えている。
【００３０】
前記アーマチュア６は、前記係止部６ｂを回動支点として前後回動可能に設けられている。該アーマチュア６の鉛直部６ｃの前方には絶縁カード７の後端部７ａが当接し、絶縁カード７はアーマチュア６の回動動作に連動して前後方向に往復動するように構成されている。
【００３１】
一方、絶縁ベース１の前側部に形成された接点開閉ブロック部Ｅ２は、図３に示すように、絶縁ベース１の左右両側にベーススタッド１９，１９が立設されている。該ベーススタッド１９，１９には、略Ｔ字状のコンタクトスプリング２０の上端側水平部２０ａが固定され、該コンタクトスプリング２０は弾性体から形成されている。又、コンタクトスプリング２０の水平部２０ａの左右方向中間部には幅狭の鉛直部（縦片）２０ｂが垂下して形成されている。
【００３２】
コンタクトスプリング２０の鉛直部２０ｂには、逆凵字状のスリット１８を介して板バネ部２６が形成されている。この板バネ部２６の下部には絶縁カード７に形成した前端側水平部７ｂが連結されている。又、板バネ部２６の上端部には可動接片２１がカシメ等の固定手段２７にて水平方向に取り付けられている。該可動接片２１は導電性材料から成り、横長の矩形状に形成されている。更に、可動接片２１の左右両端部の前面には、第１可動接点２４Ａ及び第２可動接点２４Ｂが互いに分離して形成されている。
【００３３】
従って、絶縁カード７の前後動により、板バネ部２６が下端部を回動支点として前後方向に回動すると、該板バネ部２６の上部に取り付けられた可動接片２１も前後方向に回動する。
【００３４】
又、第１可動接点２４Ａ及び第２可動接点２４Ｂの前方には第１固定接点２３Ａ及び第２固定接点２３Ｂが夫々互いに対峙して配置され、第１固定接点２３Ａ及び第２固定接点２３Ｂは、可動接片２１の前方への回動により、第１可動接点２４Ａ及び第２可動接点２４Ｂと夫々接触するように構成されている。そして、第１固定接点２３Ａ及び第２固定接点２３Ｂに第１可動接点２４Ａ及び第２可動接点２４Ｂが夫々断接することにより、クッキングヒーターの接点回路が開閉するように構成されている。
【００３５】
更に、第１固定接点２３Ａ及び第２固定接点２３Ｂは、第１固定接片２２Ａ及び第２固定接片２２Ｂの上端部後面に夫々設けられている。又、第１固定接片２２Ａ及び第２固定接片２２Ｂは、夫々第１固定接点端子２５Ａ及び第２固定接点端子２５Ｂと同一部品によって形成されているが、之に限定せられるべきではなく、別部品によって形成してもよい。又、第１固定接点端子２５Ａ及び第２固定接点端子２５Ｂは、図３に示すように、絶縁ベース１の左右両側に所定寸法だけ互いに離間して植設されている。なお、第１固定接点端子２５Ａ及び第２固定接点端子２５Ｂの角部には、放電防止効果を高めるためにＣ面又はＲ面が形成されている。
【００３６】
上記電磁継電器１７は、前記コイル４への通電をオン又はオフすることにより、前記鉄心３が前記アーマチュア６の後端側水平部６ａを吸引又は反発（復帰バネ６Ｓの力による）させて、該アーマチュア６が前後方向に回動する。そして、該アーマチュア６の鉛直部６ｃにより絶縁カード７を前後方向へ移動させる。
【００３７】
更に、該絶縁カード７の前後方向へ移動によって、前記板バネ部２６が前後方向に回動し、これに伴い、該板バネ部２６と共に可動接片２１も前後方向に回動する。このため、可動接片２１の左右両端部に取り付けた第１可動接点２４Ａ及び第２可動接点２４Ｂは、第１固定接点２３Ａ及び第２固定接点２３Ｂに同時に接触又は離反し、これにより、ＩＨクッキングヒーターの接点回路が開閉制御される。  
【００３８】
上記電磁継電器１７は、高い電圧が印加される３つの箇所において高い耐電圧が確保されている。３つの箇所とは、コンタクトスプリング２０と第１,第２固定接点端子２５Ａ,２５Ｂの上方部内側面との間の箇所（絶縁距離Ｌ１）、第１,第２可動接点２４Ａ,２４Ｂと第１,第２固定接点２３Ａ,２３Ｂとの間の箇所（絶縁距離Ｌ２）、並びに、可動接片２１と第１,第２固定接点端子２５Ａ,２５Ｂとの間の箇所（絶縁距離Ｌ３）である。
【００３９】
まず、コンタクトスプリング２０と第１,第２固定接点端子２５Ａ,２５Ｂの上方部内側面との間の箇所（絶縁距離Ｌ１）については、コンタクトスプリング２０と第１,第２固定接点端子２５Ａ,２５Ｂは互いに分離して配置されているため、大きな絶縁効果が得られる。
【００４０】
又、可動接片２１はコンタクトスプリング２０に形成した逆凵字状の板バネ部２６に取り付けられ、且つ、該可動接片２１の左右両端に第１可動接点２４Ａ及び第２可動接点２４Ｂが配置されているので、コンタクトスプリング２０には電流が流れない。依って、所定の通電容量を確保すべく、コンタクトスプリング２０の両サイド部の２０ｃ,２０ｃの幅寸法を広くする必要がない。即ち、従来構造とは異なり、コンタクトスプリング２０の両サイド部の２０ｃ,２０ｃの幅寸法を狭く形成できるので、該コンタクトスプリング２０と第１,第２固定接点端子２５Ａ,２５Ｂとの間の絶縁距離Ｌ１を長く設定でき、その分だけ当該箇所の耐電圧が増大する。
【００４１】
次に、第１,第２可動接点２４Ａ,２４Ｂと第１,第２固定接点２３Ａ,２３Ｂとの間の箇所（絶縁距離Ｌ２）については、本発明では第１,第２可動接点２４Ａ,２４Ｂと第１,第２固定接点２３Ａ,２３Ｂが同時に断接するダブル接点構造を採用している。このため、従来の接点ギャップ（接点移動量）を維持したままでも（実際は接点ギャップは多少大きくなるが）トータル接点ギャップが実質的に２倍に増大する。従って、本発明のダブル接点構造によれば、第１,第２可動接点２４Ａ,２４Ｂと第１,第２固定接点２３Ａ,２３Ｂとの間の耐電圧は、従来のシングル接点構造に比べて２倍にアップする。
【００４２】
又、可動接片２１と第１,第２固定接点端子２５Ａ,２５Ｂとの間の箇所（絶縁距離Ｌ３）については、可動接片２１が上記板バネ部２６の上端部に水平方向に取り付けられているので、可動接片２１の下辺部と第１,第２固定接点端子２５Ａ,２５Ｂの上面との間の絶縁距離Ｌ３が長くなる。依って、その分だけ可動接片２１と第１,第２固定接点端子２５Ａ,２５Ｂとの間の耐電圧が増大する。
【００４３】
尚、ＩＨクッキングヒーターには高周波の高電圧（例えば６０００ボルト）が印加されるが、高周波の高電圧の場合、樹脂製のベーススタッド１９を介してコロナ放電が発生することがある。これについてはベーススタッド１９とコンタクトスプリング２０との間に、樹脂よりも誘電率の低い空気部（空隙）ＡＬを設けているため、前記コロナ放電の発生を未然に防止できる。
【００４４】
以上説明した如く本実施例によれば、絶縁ベースに立設したベーススタッドによりコンタクトスプリングを保持し、且つ、接点箇所をダブル接点構造を採用したことにより、各接点箇所における耐電圧が従来に比べて大幅にアップする。依って、前記接点箇所に高い電圧を印加することができるので、本発明に係るＩＨクッキングヒーターによって調理鍋を所定温度まで素早く加熱することができる。その際、接点箇所にアーク放電を発生させないので、該接点箇所を損傷又は破損させる虞がなく、ＩＨクッキングヒーターの機能低下又は機能停止を確実に防止することができる。
【００４５】
又、本発明は接点ギャップを大きくしなくてもよいので、当該接点箇所における可動接点と固定接点との接触安定性ないしは開閉応答性が向上し、且つ、コイルへの動作電圧を増大させる必要がない。しかも、可動接片に大きな反復応力が作用しないため、該可動接片が長期間に及び折損するおそれもなく、可動接片の耐久性及び信頼性が著しく向上する。
【００４６】
尚、本発明は、本発明の精神を逸脱しない限り種々の改変を為ことができ、そして、本発明が該改変されたものに及ぶことは当然である。
【図面の簡単な説明】
【００４７】
【図１】本発明の一実施例を示し、電磁継電器の平面図。
【図２】同上電磁継電器の正面断面図。
【図３】同上電磁継電器の右側面図。
【図４】本発明に係る可動接片の取り付け部分を示す説明図。
【図５】従来例を示し、電磁継電器の正面断面図。
【図６】図５の右側面図。
【図７】従来例に係る可動接片の取り付け部分を示す説明図。
【符号の説明】
【００４８】
１        絶縁ベース
４        コイル
５        ヨーク
６        アーマチュア
７        絶縁カード
１７      電磁継電器
１９      ベーススタッド
２０      コンタクトスプリング
２１      可動接片
２２Ａ    第１固定接片
２２Ｂ    第２固定接片
２３Ａ    第１固定接点
２３Ｂ    第２固定接点
２４Ａ    第１可動接点
２４Ｂ    第２可動接点
２５Ａ    第１固定接点端子
２５Ｂ    第２固定接点端子
２６      板バネ部
【図１】
0004838783.tif 000002
【図２】
0004838783.tif 000003
【図３】
0004838783.tif 000004
【図４】
0004838783.tif 000005
【図５】
0004838783.tif 000006
【図６】
0004838783.tif 000007
【図７】
0004838783.tif 000008